(57)【要約】
【課題】使いやすいＭＰ３再生機能を持つ多機能腕時計を提供する。
【解決手段】本考案の多機能腕時計は、ＭＰ３再生装置と腕時計とを備え、ＭＰ３再生装置が腕時計の中に搭載されている。腕時計は、電子腕時計であって、ケース１と、時間表示回路と、表示パネル２と、バンド３を備える。ＭＰ３再生装置は、制御ボタン４と、再生制御回路と、メモリを備える。制御ボタン４は、ケース１に設けられ、且つ再生制御回路と接続されている。再生制御回路は、ケース１内の回路基板５に搭載され、ＵＳＢインターフェース６を有すると共に、メモリと接続している。ＵＳＢインターフェース６は、充電回路とイヤホーンにそれぞれ接続することができる。そのため、外観が独特で、小型で軽く、携帯性がよく、機能が多く、使いやすく、充電するのが便利な多機能腕時計を提供する
【選択図】　図１
0003099663.tif 000002
【実用新案登録請求の範囲】
【請求項１】
　ＭＰ３再生装置と腕時計とを備え、ＭＰ３再生装置が腕時計の中に搭載されていることを特徴とする多機能腕時計。
【請求項２】
　前記の腕時計は、電子腕時計であり、
　電子腕時計は、ケース（１）と、時間表示回路と、表示パネル（２）と、バンド（３）とを備え、
　前記表示パネル（２）は、ケース（１）の上に位置し、
　前記ケース（１）の両側にはバンド（３）が接続され、
　前記時間表示回路は、ケース（１）に内蔵されていることを特徴とする請求項１に記載の多機能腕時計。
【請求項３】
　前記の時間表示回路は、クロック表示回路とカレンダー表示回路とを備えていることを特徴とする請求項２に記載の多機能腕時計。
【請求項４】
　前記ＭＰ３再生装置は、制御ボタン（４）と、再生制御回路と、メモリとを備え、
　前記制御ボタン（４）は、前記ケース（１）に設けられ、且つ前記再生制御回路と接続され、
　前記再生制御回路は、前記ケース（１）内の回路基板（５）に搭載され、ＵＳＢインターフェース（６）を有すると共に、メモリと接続していることを特徴とする請求項２に記載の多機能腕時計。
【請求項５】
　前記再生制御回路の電源部分は、内蔵式で、充電が可能なリチウムバッテリであり、外部の充電回路は前記ＵＳＢインターフェース（６）を介してリチウムバッテリの充電回路と接続されることを特徴とする請求項４に記載の多機能腕時計。
【請求項６】
　前記再生制御回路の音声再生部分は、ＵＳＢインターフェース（６）を介して外部のスピーカーと接続されることを特徴とする請求項４に記載の多機能腕時計。
【請求項７】
　前記ケース（１）の中に、録音回路が設けられ、
　前記録音回路は、マイクを用いて音声情報を収集し、また該当録音回路は、メモリと接続されていることを特徴とする請求項４に記載の多機能腕時計。
【考案の詳細な説明】
【技術分野】
【０００１】
　本考案は、機械及び電子技術分野に関し、特に、多機能腕時計に関する。
【背景技術】
【０００２】
　情報技術の進歩に伴い、消費者の考え方も大きく変化し、たとえば、ＭＰ３プレーヤーなど、小型で携帯性がよく、かつ、多くの多機能を有するデジタルモバイルのミュージックファッション商品が、注目されてきている。一方、腕時計の製造業には、消費者の要望に従い、腕時計に単に時間を把握する機能だけを持たせるだけではなく、多くの多機能腕時計が開発されてきている。
【考案の開示】
【考案が解決しようとする課題】
【０００３】
　しかしながら、デジタルモバイルのミュージックファッション商品の中において、多くの同種類の商品は、機能が少なく外観が単調で、送受信のスピードが遅く、消費電力が多く、環境を保護するのに不利であり、かつ、使用性や携帯性がよくない、という欠点がある。
【０００４】
　また、今まで販売された多機能腕時計は、単に一般的な電子製品を、腕時計と組み合わせてなるものであって、ＭＰ３プレーヤーのようなより多くの人に人気のある音楽再生機能を腕時計と組み合わせたものではない。
【０００５】
　本実用新案は、使いやすいＭＰ３再生機能を持つ多機能腕時計を提供することを目的とする。
【課題を解決するための手段】
【０００６】
　上述の課題を解決するために、本実用新案の多機能腕時計は、ＭＰ３再生装置と腕時計とを備え、ＭＰ３再生装置が腕時計の中に搭載されている。
　前記の腕時計は、電子腕時計であって、ケースと、時間表示回路と、表示パネルと、バンドとを備える。表示パネルは、ケースの上に位置する。ケースの両側にはバンドが接続されている。時間表示回路は、ケースに内蔵されている。
【０００７】
　前記時間表示回路は、クロック表示回路とカレンダー表示回路とを備えている。
　前記ＭＰ３再生装置は、制御ボタンと、再生制御回路と、メモリとを備える。制御ボタンは、ケースに設けられ、且つ再生制御回路と接続されている。再生制御回路は、ケース内における回路基板に搭載され、ＵＳＢインターフェースを有すると共に、メモリと接続している。
【０００８】
　前記再生制御回路の電源部分は、内蔵式で、環境にやさしく、充電が可能なリチウムバッテリである。外部の充電回路はＵＳＢインターフェースを介してリチウムバッテリの充電回路と接続されている。
【０００９】
　前記再生制御回路の音声再生部分は、ＵＳＢインターフェースを介して外部のスピーカーと接続されている。
　前記ケースの中に、録音回路が設けられている。録音回路は、マイクを用いて音声情報を収集し、また該当録音回路は、メモリと接続されている。
【考案の効果】
【００１０】
　以上より、本考案の多機能腕時計は、通常の電子腕時計が有する機能のすべてを備えると共に、ＭＰ３プレーヤーと、デジタルレコーダーと、モバイルハードディスクとの機能を組み込んだ。使用者は、各種のＭＰ３フォーマットのファイルをＭＰ３プレーヤーにダウンロードして楽しむこともできるし、デジタルレコーダーとして使用することもできる。さらに、記録された画像や音声ファイルをコンピューターにアップロードして記憶したり再生したり、あるいはＥメールを送信することができる。そのため、本考案の多機能腕時計は、外観が独特で、小型で軽く、携帯性がよく、機能が多く、使いやすく、充電するのが便利という利点を有する。また、本考案の多機能腕時計におけるＵＳＢインターフェースは独特で、このＵＳＢインターフェースを介して、データをダウンロードやアップロードしたりコンピューター（或いは商用電源）から電力を受けることができるだけではなく、イヤホーンと接続することもできる。
【考案を実施するための最良の形態】
【００１１】
　次に、図面を参照しながら、本考案の一実施形態を説明する。
　本考案の多機能腕時計は、図１、図２のように、ＭＰ３再生装置と腕時計とを備え、ＭＰ３再生装置が腕時計の中に搭載されている。腕時計は、電子腕時計であり、電子腕時計は、ケース１と、時間表示回路と、表示パネル２と、バンド３を備える。表示パネル２は、ケース１内に位置し、LCD表示パネルを使用した。透明カバー７は表示パネル２の上方に設けられている。ケース１の両側にはバンド３が接続されている。時間表示回路は、ケース１に内蔵され、クロック表示回路とカレンダー表示回路とを備え、クロックとカレンダー機能を提供する。時間表示回路は、ＭＰ３再生装置に有するものを用いてもよく、それとは別に設けてもよい。
【００１２】
　ケース１は、上ケース１０と下ケース９とを備え、上ケース１０と下ケース９とが、ねじ８によって接続されて固定されている。ケース１には、回路基板５が設置されている。回路基板５は、ケース１に固定されている。
【００１３】
　ＭＰ３再生装置は、図３のように、制御ボタン４と、再生制御回路と、メモリとを備える。制御ボタン４は、４つあり、それぞれケース１に設けられ、再生制御回路と接続されていて、再生機能の操作に役立っている。また、再生制御回路は、メモリと接続している。メモリは、再生する音声ファイルを記録することが可能である一方、通常のメモリとして音声ファイル以外の情報を記録することも可能である。そのため、使用者がデータを持ち歩くのが便利となり、すなわち、モバイルハードディスクの役を果す。再生制御回路は、ケース１における回路基板５に搭載され、ＵＳＢインターフェース６を有する。
【００１４】
　ＵＳＢインターフェース６は、下ケース９に位置する。使用者は、インターフェース６を介して、各種のデータや情報を再生制御回路におけるメモリに記録することができると共に、該当メモリに記録されているデータや情報を他の記録媒体に伝送することもできる。さらに、再生制御回路は、電子腕時計における表示パネル２に接続され、再生制御情報の一部を表示パネル２に表示する。
【００１５】
　再生制御回路の電源部分は、内蔵式で、環境にやさしく、充電が可能なリチウムバッテリであり、外部の充電回路がＵＳＢインターフェース６を介してリチウムバッテリの充電回路と接続される。外部の充電回路は、コンピューターから電力を受けることもできるし、ＵＳＢインターフェースを有する充電器を介して商用電源から電力を直接に受けることもできる。
【００１６】
　再生制御回路の音声再生部分は、ＵＳＢインターフェース６を介して外部のスピーカーと接続されている。すなわち、ＵＳＢインターフェース６を介して外部のイヤホーンと接続されている。
【００１７】
　さらに、ケース１内に、録音回路が設けられている。録音回路は、マイクを用いて音声情報を収集し、いつでも使えるように、または他の記録メディアに伝送することができるように、音声情報を、該当録音回路と接続されているメモリに記録している。たとえば、音声情報を、コンピューターに伝送したり、Ｅメールを使用して外部へ発信することができる。
【図面の簡単な説明】
【００１８】
【図１】本考案にかかる多機能腕時計の構造を示す模式的な断面図。
【図２】本考案にかかる多機能腕時計の構造を示す模式的な平面図。
【図３】本考案にかかる多機能腕時計の内部電気回路のブロック図。
【符号の説明】
【００１９】
　１…ケース、２…表示パネル、３…バンド、４…制御ボタン、５…回路基板、６…ＵＳＢインターフェース。
【図１】
0003099663.tif 000003
【図２】
0003099663.tif 000004
【図３】
0003099663.tif 000005